(57)【要約】【課題】  洪水や津波などの緊急水害時に迅速かつ容易に止水態勢をとることができまたその後止水態勢から迅速かつ容易に回避態勢をとることができるようにした止水装置を提供すること。【解決手段】  一方と他方の左右一対の側壁間に形成された出入口に開閉自在に設けられて閉時に止水をするようにした止水装置であって、一方を基部としてその基部には外部に突出する外ケースが設けられるとともに、この外ケース内には、アラミド繊維や炭素繊維などの強化繊維を主たる層として止水可能に作製した止水シートが繰出自在に巻取装備され、他方には前記止水シートが繰り出されて固定可能とされていることを特徴とする。【選択図】図４
2019105147.tif 000002
【特許請求の範囲】
【請求項１】
一方と他方の左右一対の側壁間に形成された出入口に開閉自在に設けられて閉時に止水をするようにした止水装置であって、一方を基部としてその基部には外部に突出する外ケースが設けられるとともに、この外ケース内には、アラミド繊維や炭素繊維などの強化繊維を主たる層として止水可能に作製した止水シートが繰出自在に巻取装備され、他方には前記止水シートが繰り出されて固定可能とされていることを特徴とする止水装置。
【発明の詳細な説明】
【技術分野】
【０００１】  本発明は、ビル、工場、倉庫、店舗、地下鉄等の地下施設などのような各種建造物の出入口を対象として構成されるもので、集中豪雨や津波、高波などにより襲来する水を堰き止めて被害をなくすようにするための止水装置に関する。
【背景技術】
【０００２】  集中豪雨時のように雨量が一定量を超えると平地でも洪水が発生しさらに河川の氾濫があった場合には激しく増水して建造物の出入口からは出入口を直接あるいは扉やシャッター隙間などを通じて施設内に浸入して被害は甚大になることがある。そうしたことに対処するため、出入口を止水すべきものとして特許文献１のような発明がその一例としてなされている。【０００３】
【特許文献１】特開２００４−１６２２６０
【発明の概要】
【発明が解決しようとする課題】
【０００４】  特許文献１に開示されたものは構造物入口の防水装置についてのもので、構造物ＢＬの入口Ｉ側に開放した単一の溝状凹部Ｍａを有して該入口Ｉの相対向する左右両側壁面Ｗに沿設された左右一対の主支柱Ｍと、その左右一対の主支柱Ｍ側に各々開放した互いに逆向きの一対の溝状凹部Ｓａを有して、その両主支柱Ｍ間の床面Ｆ上に着脱可能に立設し得る補助支柱Ｓと、相隣なる２個の支柱の溝状凹部Ｍａ、Ｓａ：Ｓａ、Ｓａ間に左右両端部を嵌合支持し得る複数の防水板Ｔを備え、それら防水板Ｔは、平時は構造物入口Ｉの周辺の排水溝１の溝蓋として機能すべく、該排水溝１の長手方向に沿って互いに縦列配置され且つ該排水溝１の開口部両側縁に各々係合載置されて床面と面一であることを特徴とする。
前記防水装置は、複数枚の防水板Ｔ…を構成するが、その防水板Ｔ…は、平時において排水溝１の溝蓋として配列使用されるものであることから、溝蓋としての負荷に耐えるに充分な強度をもつ金属製の板や枠体などで造ることが必要があり、そのことから緊急時にこれら防水板Ｔ…を閉鎖状態にセットしたりその閉鎖から元の蓋使用状態に戻す場合に重くて作業を迅速に進めることができない。また、緊急時に防水板Ｔ…を外して閉鎖状態にセットしたあとは排水溝１は開放状態になるため、その後洪水になった場合、視えない排水溝１に通りかかった人がはまって危険なものである。【０００５】  本発明は、このような問題を解決しようとするものであり、洪水や津波などの緊急水害時に迅速かつ容易に止水態勢をとることができまたその後止水態勢から迅速かつ容易に回避態勢をとることができるようにした止水装置を提供することを目的とする。
【課題を解決するための手段】
【０００６】  本発明は上記目的を達成するため、請求項１に記載の発明は、一方と他方の左右一対の側壁間に形成された出入口に開閉自在に設けられて閉時に止水をするようにした止水装置であって、一方を基部としてその基部には外部に突出する外ケースが設けられるとともに、この外ケース内には、アラミド繊維や炭素繊維などの強化繊維を主たる層として止水可能に作製した止水シートが繰出自在に巻取装備され、他方には前記止水シートが繰り出されて固定可能とされていることを特徴とする。
【発明の効果】
【０００７】  上述したように本発明は、一方と他方の左右一対の側壁間に形成された出入口に開閉自在に設けられて閉時に止水をするようにした止水装置であって、一方を基部としてその基部には外部に突出する外ケースが設けられるとともに、この外ケース内には、アラミド繊維や炭素繊維などの強化繊維を主たる層として止水可能に作製した止水シートが繰出自在に巻取装備され、他方には前記止水シートが繰り出されて固定可能とされていることを特徴とするので、洪水や津波などの緊急水害時に迅速かつ容易に止水態勢をとることができまたその後止水態勢から迅速かつ容易に回避態勢をとることができるようにした止水装置を提供することができる。
【図面の簡単な説明】
【０００８】
【図１】  本発明の一実施形態である止水装置を開状態で示す横断平面図。
【図２】  図１の正面図。
【図３】  図１の止水装置を閉状態で示す横断平面図。
【図４】  図３の正面図。
【図５】  図１のＡ部の説明である側面拡大図。
【図６】  図３のＢ部の説明である斜視図。
【図７】  他の実施形態を示す正面図。
【図８】  他の実施形態を示す縦断側面図。
【図９】  他の実施形態を示す縦断側面図。
【図１０】  他の実施形態を示す斜視図。
【図１１】  他の実施形態を示す斜視図。
【図１２】  他の実施形態を示す正面図。
【図１３】  他の実施形態を示す図１２のＣ−Ｃ線断面図。
【図１４】  他の実施形態を示す縦断正面図。
【図１５】  他の実施形態を示す開状態での横断平面図。
【図１６】  図１５のＤ−Ｄ線断面図。
【図１７】  他の実施形態を示す閉状態での横断平面図。
【図１８】  図１７のＥ１−Ｅ１線断面図。
【図１９】  図１７のＥ２−Ｅ２線断面図。
【図２０】  図１９のＦ−Ｆ線拡大断面図。
【図２１】  止水装置についての他の実施形態を示す横断面図。
【図２２】  図２１のＧ−Ｇ線断面図。
【図２３】  図２２の作用説明である断面図。
【図２４】  シート押さえの他の実施形態を示す断面図。
【図２５】  図２４のシートを押さえた状態を示す断面図。
【図２６】  止水装置についての他の実施形態を示す縦側断面図。
【図２７】  付加的な提案例を開状態において示す室内側からの正面図。
【図２８】  図２７の例を閉状態にして示す室内側からの正面図。
【図２９】  小屋屋根の防護方法を示す説明図。
【図３０】  家屋をミサイル及び水害から防護するための付加的な提案例を示す正面図。
【図３１】  ビル建造物をミサイル破片から防護するための付加的な提案例を示す説明図。
【図３２】  耐震ベッドフレームにミサイル防護手段を装備した場合の付加的な提案例を示す説明図。
【図３３】  ミサイル防護を施した床下支持型耐震テーブルについての付加的な提案例を示す説明図。
【図３４】  事務机あるいは勉強机などを防護するための防護フレームをミサイル防護型にした付加的な提案例を示す斜視図。
【図３５】  強化繊維シートを堤防に使用した付加的な提案例を示す斜視図。
【図３６】  図３５の例におけるシート係合方法を示す斜視説明図。
【図３７】  強化繊維シートの応用例を示す斜視図。
【図３８】  強化繊維シートの応用例を示す正面図。
【図３９】  強化繊維シートの他の応用例を示す斜視図。
【図４０】  強化繊維シートをゴミ入れ設備に応用した例を示す斜視図。
【図４１】  強化繊維シートを集合場所に設置してミサイル防御を図るようにした付加的な提案例を示す平面図。
【発明を実施するための形態】
【０００９】  図１ないし図６は本発明である止水装置の一実施形態を示すもので、１は工場の一方（向かって右側）の側壁、２は他方（左側）の側壁であり、それらの間には約３ｍ幅の出入口３が形成されており、その出入口３の奥側には電動式のシャッター４が設けられている。シャッター４は他の開閉手段、例えば、ドアや引き戸などとされる場合がある。この止水装置ではシャッター４などの開閉手段が構成されないこともある。側壁１，２の幅は４０ｃｍ程度である。
出入口３には開口床面５が形成されるとともに、その外側には外部床面６が形成されている。内外の床面５，６は水平な同一面になっているが、外部床面６の方は、外向きに少し下がり傾斜状をなすように形成される場合もある。
【００１０】  一方の側壁１は基部側とされ、その前面には、六面体でなる縦長状をしたＳＵＳ製の外ケース８が床面６から立ち上がるようにして外向きに突設されている。外ケース８の裏板部は側壁１の前面に密着状をなして図示しない止着具などで固定されている。外ケース８と側壁１との間にはシールパッキンを介在させて水が通らないようにすることがある。
この外ケース８は、その左側の面に出入り用の水密式スリット９を有し、そのスリット９よりの手前側の面部と前側の面部とがＬ字状のケース蓋１０になっているとともに、そのＬ字ケース蓋１０は図１のようにヒンジ１１を介して開閉自在とされている。
【００１１】  外ケース８内の上部には上軸受１３がまた外ケース８より下側となる床面６内にも下軸受１４が設けられて、これら両軸受１３，１４を介して縦軸状の巻取軸１５が回転自在に設けられている。
この巻取軸１５の外ケース８内の底板上に対応する高さには、底受板１６が設けられ、その底受板１６に受けられるようにして巻取軸１５周りには止水シート１８が巻き付けられている。
【００１２】  この止水シート１８は、幅（高さ）が１ｍで長さが５ｍ前後のシートとされ、ここでは、その止水シート１８は、アラミド繊維（あるいは炭素繊維）による縦横方向への編成シートを主たる層材として有し、それを１枚あるいは複数枚組成するとともに、図示しないがその主たる層材の前面あるいは後面の一方か若しくは前後両面に遮水機能を有する樹脂シート（あるいはフィルム）を一体積層してなるものである。編成シートにゴム質材を一体成形してもよい。
前記樹脂シートとしては、ポリエチレン系熱可塑性ポリオレフィンシート、熱可塑性ポリエーテル系ポリウレタンシートやポリプロピレン系熱可塑性ポリオレフィンシートなどの極薄シートが物理的・化学的特性に優れたものとして好適であるがそれに限定されない。
【００１３】  止水シート１８には、図４に示すように、自動的に巻取り状態にする薄バネ板でなる巻き戻し材１９が上下１本あるいは複数本をなして一体化されているとともに、同止水シート１８の先端には、縦長板状の端止め材２０が取り付けられており、この端止め材２０は、図１および図２のように平時は巻き戻し材１９の作用で外ケース８のスリット９外に復帰するようにされる一方、非常時には図３および図４のように側壁２の方向に伸ばされてその前面に縦設された端受材２１に固定具２１ａにより止め付け固定されるようになっている。
端受材２１にはメスネジ２２が設けられる一方端止め材２０には蝶ボルト２３が装着されていることにより端受材２１に端止め材２０を重ね合わせるようにして蝶ボルト２３を止め付けることで止水シート１８の先端が固定されるようになっている。
【００１４】  止水シート１８は、その先端が固定される一方において他方の基部側には緩みが残るが、この実施形態では、外ケース８上に巻取軸１５に連結された巻取りレバー２５が設けられていることにより張設状態にすることができる。巻取りレバー２５は図３および図４の止水シート張設状態時および図１および図２の端止め材２０の復帰状態時にそれぞれ弛み防止のため回転ロックするようになっている。
【００１５】  ２７は挟持手段で、左右各側壁１，２の前面の外ケース８より内側と端受材２１の内側にそれぞれ縦向きにして固定具２８ａで固着された固定受板２８と、この固定受板２８の前面に当て付けられて蝶ボルト２９により固定受板２８側に平行に固定される挟持板３０とからなる。固定受板２８の下端には図５のようにヒンジ３２が設けられていてそれに取り付けられた挟持板３０が前方に開いたり元の後方に閉じたりするようになっている。また、固定受板２８には凹部３３が挟持板３０には凸部３４が設けられ、挟持板３０が開いたときには止水シート１８が通される一方、挟持板３０が閉じたときには、前記凹凸部３３，３４が噛み合って止水シート１８の動きを止めるようになっている。
【００１６】  尚、端止め材２０は、図６に示すように、縦長の平たい芯板３６にシート端部を数回巻き着け一体化したものにしてもよい。
また、止水シート１８の下縁部には、図６に示すように、細幅状をなす下部舌片３７を設けて手前向きに展開自在にしておいてその上に図３のような押さえ帯板３８…を載せ付けるとともに止着具３９…を押さえ帯板３８の通孔および下部舌片３７の通孔３７ａ…を通じて外部床面６上のメスネジである埋込アンカー４０…（図１）にねじ込むことで下部舌片３７が下面に密着して容易には浮き上がらず浸水が確実に阻止されるようにしてある。この下部舌片３７と止水シート１８の本体部分との間はオスメスの面ファスナーａ、ｂ（図６参照）でもって密着して巻取り可能にすることができる。
止水シート１８は、図４に示すように、高く伸ばされた左右の端受材２１，２１間に渡された吊持ワイヤ４２に吊持具４３…を掛けて支持するようにすることで垂れ下がらず保持されたものとし、止水機能を確実に果たすようにしてもよい。
【００１７】  図１および図２は止水装置の平時の状態を示す。平時においてはシャッター４が開いている場合と閉じている場合とがある。止水シート１８は巻き戻し材１９…の力によって巻き戻されるとともに巻取りレバー２５が回転ロックされることで端止め材２０が外ケース８のスリット９に対応する手前に停まって退避している。挟持手段２７は、蝶ボルト２９により挟持板３０が固定手段２８側に固定された状態とされる。
【００１８】  洪水や津波流、高波などの襲来前には、図１および図２のように、シャッター４を閉じたあと、巻取りレバー２５のロックを外すとともに蝶ボルト２９を図５の右欄のように緩めて挟持板３０を手前に開いておくようにする。挟持板３０は図５のようにその下端を斜めカットした形にしておけば一定の角度まで開いてそれ以上は開かないようにすることができる。挟持板３０が外部床面６まで大きく開き過ぎると、一連の止水の作業に支障が生まれるが、前記一定角度に規定するようにすると作業が容易化する。
【００１９】  尚、挟持板３０の凸部３４は、下端まで伸ばしておくと固定受板２８の下部との間に止水シート１８を通すための隙間が作れないが、図５の右欄のように凸部３４を下端から少し上がったところまで短いものとしておくと通し隙間が確保されて止水シート１８を閉じ方向に通しやすくなる。止水シート１８は、図１、図２のように巻き取られているが、巻き取られた状態においては下部舌片３７は図６の実線のように折り畳まれ面ファスナーａ、ｂで保持された状態とされている。
【００２０】  そのあと、右側の端止め材２０をもって出入口３の方向に持ち出すと止水シート１８は外ケース８内で巻き込み状態にあったものが引き出され、図５の右欄のように開いた状態の挟持手段２７，２７間を通して端止め材２０が端受材２１前に対応するまで引き出される。端止め材２０は蝶ボルト２３…により端受材２１側に止め付けられる。
【００２１】  そのあと、巻取りレバー２５を右回りに回して止水シート１８を引っ張った状態にしてロックされてのち、左右２本の挟持板３０を固定受板２８の側に当て付けるようにするとともに蝶ボルト２９…固定受板２８にねじ込むことにより張設した止水シート１８をその両端手前において挟持固定するようにする。その際、凸部３４が凹部３３内に嵌り合うことにより止水シート１８はより強く張設状態で固定化されるものである。
【００２２】  そのあと、図６のように、上向きになっている下部舌片３７を手前に引き剥がすようにすることで面ファスナーａ、ｂが剥がれて外部床面６上に展開することができるようになる。展開した下部舌片３７は、図３および図４のように、押さえ帯板３８…を並べて蝶ボルトなどの止着具３９…を押さえ帯板３８の通孔から埋込アンカー４０…へとネジ込むことにより外部床面６上に密着状に固定され前底方からの止水状態が得られる。
【００２３】  洪水や津波流などにより図４の水位４５のようになることが想定され、その場合、止水シート１８は、右側はスリット９の個所で左側は端止め材２０・端受材２１の合わさった個所で止水状態とされさらに下側が押さえ帯板３８に押さえ付けられた下部舌片３７により止水状態とされていることから完全に止水が可能である。止水シート１８はアラミド繊維を主たる層として有する上にその左右両端手前近くで挟持手段２７、２７により挟持固定されているので、より確実な止水が行われる。下部舌片３７の左右長さは厳密に左右の挟持手段２７，２７間の間隔に一致するようにすれば図３および図４のＸ部を通じての水の浸入は抑えられる。
【００２４】  尚、前記止水シート１８は、図６の（ａ）のように、破線で表したアラミド繊維、炭素繊維などによる軽量で強度に富む強化繊維シート４６のみによるものとする場合がある。この場合、繊維目からの透水を阻止するため軟質のゴムあるいは樹脂を目を含む面に含浸させて透水を阻止するようにする。図６の（ｂ）のように、強化繊維シート４６の裏側にあるいは（ｃ）のように表側に前記した樹脂シート４７を接着あるいは融着などにより一体化して止水シート１８を形成してもよい。また、図６の（ｄ）のように、強化繊維シート４６を表裏の樹脂シート４７，４７で一体挟み付けして止水シート１８を作製してもよいし、（ｅ）のように強化繊維シート４６は２層など複数層にしてもよい。これらにおいて、強化繊維シート４６は、縦横に編成したものとするが、斜め格子状に編成してなるものを採用してもよい。
また、図６に示すように、挟持板３０の方は幅がｗで図１ないし図４に示すものと同じであるが、その後方の固定受板２８は、それより幅が広いＷで出入口３側に伸びた板とすることがある。挟持板３０の右端３０ａと固定受板２８の右端２８ａとを下部舌片３７の端部との位置関係を図６に示してあるが、下部舌片３７が右端３０ａと２８ａとの間にあるようにしてある。出入口３の右側の固定受板２８と挟持板３０とでなる挟持手段２７についても同様にすることができる。このようにしておくと、右端３０ａと下部舌片３７の左端との間に相当する止水シート１８の一部分にかかる水圧を固定受板２８の右端の部分がピッタリと受け止めることからその部分の下端から水が入り込むことが防止される。
【００２５】  図７ないし図１４は各他の変形的な実施形態である。
図７は止水シート１８と端止め材２０が開閉される上で軽快かつ円滑に移動操作できるようにしたもので、端止め材２０の下部端面には、ブラケット５０が取り付けられ、このブラケット５０を介して下部ナット５１が溶接される一方ロックと解除と回転調節の可能なレバー付き上部ナット５２が設けられ、これらに転動ローラー５３付きの昇降ねじ軸５４がねじ付けられている。止水シート１８を引き出すときはレバーにより上部ナット５２を弛めてローラー５３を止水シート１８の下端よりも低く突き出すようにしておいてローラー５３を図示の向きにしてレバーにより上部ナット５２を締付固定することにより矢印のように端止め材２０を引っ張ればローラー５３の転動機能により極めて軽快かつ容易に止水シート１８を引き出したり戻したりすることができるようになる。止水シート１８を引き出したり戻したあとは止水シート１８が外部床面６上にくるようにローラー５３を元の低い状態に調節し直しておけば、引き出したときに止水シート１８の下を洪水が通らないようになる。
【００２６】  図８は外部床面６に溝５７を設ける一方端止め材２０側にはこの溝５７内で転動するローラー５８をブラケット５９を介して取り付けることで軽快かつ円滑に止水シート１８を開閉できるようにする他に一定の軌道５７をもって安定確実に止水シート１８を開閉できるようにしたものである。図３の止着具３９の位置合わせが容易かつ確実にできるようになる。ローラー５８は高さ調節式にすることができる。
【００２７】  図９は外部床面６に蟻溝６０を形成する一方端止め材２０の下部先端には蟻溝６０に下部が嵌り合うスライダ６１が取り付けられたもので、軽快かつ容易に止水シート１８の開閉ができるとともに常に一定の軌道をもって開閉されるようになる。
【００２８】  図１０は外部床面６に蟻溝６３を形成する一方端止め材２０の下部先端には蟻溝６３に下部が嵌り合うスライダ６４が取り付けられたもので、軽快かつ容易に止水シート１８の開閉ができるとともに常に一定の軌道をもって開閉されるようになるものである。特に、蟻溝６３の先方には蟻溝６３内にスライダ６４を挿入しやすくする端ピット６５が設けられており、この端ピット６５はそこにゴミなどが集められ傾斜面を通じて掻き出しやすくなるようにしたものである。
【００２９】  図１１は外部床面６の上にアングル材や角材などによるガイドレール６８を取り付ける一方端止め材２０の裏側には溝型ローラー６９を取り付けて進退走行自在にしたものである。
【００３０】  図１２および図１３は止水装置についての他の実施形態を示す。外部床面６の左右長手方向には、縦溝ａと水平なローラー溝ｂとを有する逆Ｔ字形の案内溝７１が形成されており、縦溝ａ内には端止め材２０の裏側に取り付けられたブラケット板７２が通されるとともに、このブラケット板７２に回転自在に装備した進退ローラー７３が縦溝ａの開口に添って進退自在とされている。ブラケット板７２の下端には水平軸を介して抜け止めローラー７４が嵌り合って設けられている。端止め材２０と止水シート１８とはこうした案内により安定してかつ円滑に進退が案内される。
【００３１】  図１４は止水装置の他の実施形態を示す。ブラケット板７２の前後２個所からはアンカー７６，７６が突設されており、このアンカー７６，７６に両端が係合するようにして駆動チェーン７７とシーブ７８…とが設けられ、右端の駆動モーター７９によりブラケット板７２が進退駆動されるようになっていることにより止水シート１８が開閉されるようになっている。８０はタイトナである。
【００３２】  図１５ないし図２０は止水装置についての他の実施形態を示す。図１５および図１６は止水装置が開いた平時の状態を示し、図１７ないし図１９は止水装置が閉じた状態を示す。
１０１は工場の一方（向かって右側）の側壁、１０２は他方（左側）の側壁であり、それらの間には約３ｍ幅の出入口１０３が形成されており、その出入口１０３の奥側には電動式のシャッター（開閉手段）１０４が設けられている。側壁１０１，１０２の幅は４０ｃｍ程度である。
【００３３】  出入口１０３には開口床面１０５が形成されるとともに、その外側には外部床面１０６が形成されている。内外の床面１０５，１０６は水平な同一面になっているが、外部床面１０６の方は、外向きに少し下がり傾斜状をなすように形成される場合もある。
【００３４】  一方の側壁１０１は基部側とされ、その前面には、左右前後と上下面とでなる縦長状でＳＵＳ製の右外ケース１０８が床面１０６より少しだけ掘り下げた右凹所１０９から立ち上がるようにして突設されている。右外ケース１０８の裏板部は側壁１０１から突設された取付密閉板１１０と連結されている一方前面と内側面とでなる右ケース蓋１１１はヒンジ１１２を介して開閉できるように取り付けられている。この右ケース蓋１１１は、内部ブラケット１１３を介して止着具１１４で脱着自在となっている。
この右外ケース１０８の内部には、右内ケース１１６が設けられている。右内ケース１１６は、円筒ドラム型で天板と底板とを一体に備えるとともに側壁１０１のコーナーに面する個所には一対の丸パイプによりスリット１１７が形成されている。この右内ケース１１６は、右外ケース１０８内において固定されており、その底板の上面が外部床面１０６と同じ高さとされている。
【００３５】  １２０は固定軸で、右内ケース１１６の中心を通るように固定して立設されている。この固定軸１２０の下端外周には固定パイプ１２１が設けられる一方、それより上部には回転パイプ１２２が設けられている。回転パイプ１２２の上端には回転ロック可能な巻取りレバー１２４が設けられている。回転パイプ１２２の外周には止水シート１２６が巻き取られており、その外部端部には端止め材１２７が設けられている。端止め材１２７は、図６のように芯板の周りにシートを巻き付けて一体化したようなものである。端止め材１２７の端部には引き板１２８が設けられて縦板１２９に止着具１３０により脱着可能になっている。この実施形態では、端止め材１２７の芯板と引き板１２８とは逆Ｕ字板状をなして形成されている。端止め材１２７の裏側である側壁１０１前面には外側受板１３２が固定されており、またその左側コーナーには内側受板１３３が固定して設けられている。これら受板１３２，１３３はゴム厚板が好ましい。受板１３２，１３３の前面とスリット１７から出ている止水シート１２６の面とは略同じ面となっている。
【００３６】  左側の側壁１０２の前面にも同様の外側受板１３２と内側受板１３３がシール性のあるゴム製厚板として設けられている。
１３５は左外ケースで、側壁１０２の外コーナー近くに凹設した左凹所１３６に底板が位置するようにして固定設置されている。この左外ケース１３５は固定側と開閉自在な前側の左ケース蓋１３７とでなり、左ケース蓋１３７は図示しない止着具により開閉自在とされている。１４１は前記端止め材１２７を止め付け得る左止め板である。１４３は外ブロック床面１０６に横一列に配備したメスネジである埋込アンカーである。
【００３７】  止水シート１２６は、幅（高さ）が１ｍで長さが５ｍ前後のシートとされ、ここでは、その止水シート１２６は、アラミド繊維（あるいは炭素繊維）による縦横方向への編成シートを主たる層材として有し、それを１枚あるいは複数枚組成するとともに、その主たる層材の前面あるいは後面の一方か若しくは前後両面に遮水機能を有する樹脂シート（あるいはフィルム）を一体積層してなるものである。編成シートにゴム質材を一体成形してもよい。
【００３８】  前記樹脂シートとしては、ポリエチレン系熱可塑性ポリオレフィンシート、熱可塑性ポリエーテル系ポリウレタンシートやポリプロピレン系熱可塑性ポリオレフィンシートなどの極薄シートが物理的・化学的特性に優れたものとして好適であるがそれに限定されない。止水シート１２６には、図１８に示すように、自動的に巻取り状態にする薄バネ板でなる巻き戻し材（リコイラー）１４４が上下１本あるいは複数本をなして一体化されている。
【００３９】  図１５および図１６は止水装置の平時の状態を示す。平時においてはシャッター１０４が開いている場合と閉じている場合とがある。止水シート１２６は巻き戻し材１４４…の力も手伝って巻取りレバー１２４によって巻き戻されている。引き板１２８は縦板１２９に止め付けられた状態とされ、その状態で巻き取りレバー１２４は回転ロックされる。引き板１２８は無しとして端止め材１２７を外側受板１３２に開けた通孔を通じて側壁１０１内の埋込アンカー（図示省略）に止着具をねじ込んで固定するようにしてもよい。その場合、端止め材１２７は左止め板１４１に直接止め付けられる。左右の外ケース１３５，１０８は側壁１０１，１０２のいずれも離れる側に偏寄して配置されているので、平時における出入りに支障を与えない。
【００４０】  洪水や津波流、高波などの襲来前には、前記巻取りレバー１２４のロックを外し自由な状態にするとともに右および左の外ケース１０８，１３５を開け、さらに止着具１３０を外して引き板１２８を持って端止め材１２７を左方向に引き出し、それにより止水シート１２６を左向きに引き出す。引き出された引き板１２８は左止め板１４１の前に止め付けられ、これにより、止水シート１２６は、図１７ないし図１９のように、左右の外側・内側受板１３２，１３３…の前面にゴム添着されるようにして張設される。
【００４１】  左右の外側・内側受板１３２，１３３の前面には止水シート１２６が丁度通されて前方からの水圧の作用により奥側に押さえ付けられることで水が浸入しないようにするため、例えば、スリット１１７の出口は外側・内側受板１３２，１３３の前面と一致する面を通るようにあるいはそれより僅かな一定寸法量程前側か後側にずれたところを止水シート１２６が通るようにして位置させるようにしてある。シャッター１２６の張りは、巻取りレバー１２４の右回りの巻取りと回転ロックとにより得られる。また、止水シート１２６の下端縁は、回転パイプ１２２の外周に設けた底盤１２３の高さを外部床面１０６と同じにしてあることにより引き出されたときに外部床面１０６に添った形で出される。そして、止水シート１２６からは面ファスナーを介して下部舌片１４６を前出し、その上に押さえ帯板１４７を配列してのち止着具１４８…を埋込アンカー１４３…までねじ込むことにより水密状に固定される。外ケース１０８，１３５はそのあと閉じてロックしておく。
【００４２】  １５０は洪水、津波流、高波などの想定される最高水位であり、止水シート１２６は、前方からの水圧が作用するが、張設された状態で左右の外側・内側受板１３２，１３３…に背側を密着支持されるとともに下部は下部舌片１４６で水密状とされていることから洪水・津波流などに対する止水が確実になされる。止水シート１２６は、ゴム質の外側・内側受板１３２，１３３により横ずれなく密着するとともに止水シート１２６を傷めるおそれがない。尚、外側・内側受板１３２，１３には上下に伸びる凸条あるいは凹溝を設けるとより止水効果が上がる。
【００４３】図２１および図２２は止水装置についての他の実施形態を示す。これらの図は止水装置が洪水などに対処して閉じられた状態を示し、１６１は一方（向かって右側）の側壁、１６２は他方（左側）の側壁であり、それらの間には出入口１６３が形成され、その出入口１６３の奥側には電動式のシャッター（開閉手段）１６４が設けられている。出入口１６３には開口床面１６５が、またその外側には外部床面１６６が形成されている。内外の床面１６５，１６６は水平な同一面になっている。
【００４４】  一方の側壁１６１は基部側とされ、その外側面には、縦長ケース型をした右外ケース１６８が固定されている。右外ケース１６８の一部は開閉式となっており、その前面にはスリット１７０が形成されているとともに、ケース１６８の内部には、止水シート１７１を巻き取るためのドラム１７２が縦軸状に設けられている。１７３は巻取りレバーで、適宜位置で回転ロックできるようになっている。
【００４５】  左右の側壁１６１，１６２の各外側コーナーと内側の前面部には外側受板１７５と内側受板１７６がそれぞれ縦長状ゴム板製として固定されている。止水シート１７１の先端部には端止め材１７７が取り付けられている。端止め材１７７は、平時は右外ケース１６８の外部であるスリット１７０手前に戻されて位置しているが、洪水などに際しては、図２１のように、左側壁１６２の外側面に固定の縦受板１７９に止着具１８０により固定されるようになっている。止水シート１７１は出入口１６３に張設されてレバー１７３の回転ロックによりその張りが維持されるようにされると、図２１のように受板１７５，１７６…にその背部を密着状に受け止められる。止水シート１７１は、その下部前面に面ファスナーａ、ｂを介して展開自在な下部舌片１８２を備えており、この実施形態では、図２３に示すように、ヒンジ１８３を介して起倒可能な押さえプレート１８４により展開状態の下部舌片１８２を押さえ付けるようになっている。押さえプレート１８４は外部床面１６６に形成した浅い凹所内に床面１６６と同一面となるようにして収納待機されている。尚、押さえプレート１８４には面ファスナーａを設けて下部舌片１８２がより固定化されるようにしてもよい。止水シート１７１は、幅（高さ）が１ｍで長さが５ｍ前後のシートとされ、ここでは、その止水シート１７１は、アラミド繊維（あるいは炭素繊維）による縦横方向への編成シートを主たる層材として有し、それを１枚あるいは複数枚組成するとともに、その主たる層材の前面あるいは後面の一方か若しくは前後両面に遮水機能を有する樹脂シート（あるいはフィルム）を一体積層してなるものである。編成シートにゴム質材を一体成形してもよい。
【００４６】  前記樹脂シートとしては、ポリエチレン系熱可塑性ポリオレフィンシートなどの極薄シートが物理的・化学的特性に優れたものとして好適であるがそれに限定されない。止水シート１７１には、図２２に示すように、自動的に巻取り状態にする薄バネ板でなる巻き戻し材１８６…が上下１本あるいは複数本をなして一体化されている。
そして、止水シート１７１を洪水１８７の圧力から後倒れしないように護るため、背部に複数本の支柱１８８を立設してその前面の背受材１８９…で受け止めるようにするとともに、背受材１８９と前アンカー１９０との間を引張チェーン１９１で引き固定することでさらに後倒れを防止するようにしてある。
【００４７】  尚、図２４に示すように、押さえプレート１８４の先端には半丸バー型の凸片１９３を設ける一方、外部床面１６６側に凹溝１９４を形成しておいて、図２５に示すように下部舌片１８２を凸片１９３により凹溝１９４内に押さえ込んで確実に下部舌片１８２を固定化するようにしてもよい。凸片１９３は、図２４の右欄のように、三角バー型のものにして舌片１８２の先端部を押さえ付けるようにしてもよい。
【００４８】  図２６は例えば、地下鉄の階段２００上の出入口２０１に対して洪水のための止水装置を構成したものである。出入口２０１の手前下部には、逆Ｌ字形をした前階段２０２がケースとしても機能するように開閉自在に固定されており、この前階段２０２の内部には、横軸状の回転軸２０３回りに止水シート２０４が巻き込まれるとともに、その一端の上引き板２０５はローラー２０６を介して出入口２０１の下側に平時に待機するように取り出されている。この上引き板２０５には孔が設けられており、それを持ち上げて上押さえ板２０７により押さえ付けるとともに蝶ボルト２１１をメスネジ型上部アンカー２０８にねじ込むことで密閉式に固定されるようになっている。止水シート２０４の側部の密閉化は、縦板２０９を通じて側部アンカー２１０に蝶ボルト２１１…による押さえ付けによる固定により得られるようになっている。２１２は巻取りハンドルである。前記前階段２０２は、密閉化を図りやすいケースであり、そのことから外部からは水圧がかかりその先端が止水シート２０４の下部を押圧することにより止水シート２０４の下部は水密化が図れるものである。
【００４９】  図２７以降は付加的な提案例を示している。
図２７および図２８はミサイル攻撃を受けた場合の対策例で、２１５は既設の窓枠、２１６は窓ガラス、２１７は窓枠２１５の上枠部に取り付けられたレールで、レール２１７には吊り具を介して左右に開閉自在なカーテン２１８が設けられている。カーテン２１８は、アラミド繊維（あるいは炭素繊維）による縦横方向への編成シートを主たる層材として有し、それを１枚あるいは複数枚組成するとともに、その主たる層材の前面あるいは後面の一方か若しくは前後両面に遮水機能を有する樹脂シート（あるいはフィルム）を一体積層してなるものである。編成シートにゴム質材あるいは樹脂質材を一体成形してもよい。
【００５０】  カーテン２１８は図２８のように閉じられて互いの端縁同士を止着具２２０…で容易に離れないように締着可能であり、また、カーテン２１８の左右両側部および下縁部は、ヒンジ２２１により転回自在とした側板２２２と下板２２３とにより止着具２２４…で押さえ付け固定されるようになっている。これにより、Ｊアラートによりミサイル攻撃があることを察知したときはアラミド繊維などの強力なカーテン２１８を室内側から引き合わせて防御態勢とすることで有効に飛び散ってくる破片などから室内の人を護ることができるものである。
【００５１】  図２９はミサイル攻撃に対する防御方法についての他の付加的な提案例を示し、２２７は屋根受材、２２８は屋根下地材、２２９は屋根外装材を示すもので、屋根下地材２２８と屋根外装材２２９との間には、外側から押出発泡ポリエチレン成形版Ｐが敷設され、その表裏にはアラミド繊維などの強化繊維シートａ、ａが積層されることでミサイル攻撃時の爆発破片などに強い小屋などの戸建て住宅の屋根構造を提供することができる。
【００５２】  図３０はミサイル攻撃に対する防御方法についての他の実施形態を示し、屋根裏構造部分の天井裏にも図２９の右欄のような強化繊維シートａの単層や複数層が敷設され、押出発泡ポリエチレン成形版Ｐも複合的に積層して構成されるようになっている。
図３０には水害防護方法も示されている。即ち、一般戸建て家屋２３２の１階部分には基礎２３３が設けられ、その周部にはメッシュ板などによる床下換気口２３４…が設けられているが、その換気口２３４…を含む家屋１階下周り全周にはアラミド繊維などの強化繊維シートａとその表裏の防水シートｂ、ｂとの積層シートが取り巻かれて適宜押さえバー２３５…を止着具２３６…で押さえ止めすることで固定化してある。
【００５３】  図３１はミサイル攻撃に対する防御方法についての他の実施形態を示す。２３９はビルである建造物で、その屋上防水仕上げ層であるスラブ２４０の上には、水放け粒子層２４１を介して押出発泡ポリエチレン成形版Ｐ未が一面に敷設されたうえで単層あるいは複数層のアラミド繊維などの強化繊維シートａと防水シートｂとが敷設されている。
【００５４】  図３２は床面に設置されたベッド２４４の耐震防護フレーム２４５について同じくミサイル攻撃に対する防御方法を示すものである、耐震防護フレーム２４５は、図示のようにパイプを側面台形枠状に成形した主防護パイプ２４６を図の手前と奥側に離して一対平行状に配し、その前後間を右欄のように四角パイプなどの主横架材２４７で繋ぐとともに主横架材２４７間をさらに細い天井つなぎ材２４８…で連結してなるものである。その他、主防護パイプ２４６の脚間は前後および左右方向の底つなぎ材２４９でつながれてなる。地震発生時にベッド２４４に休む人をこのフレーム２４５によって護るようにするものであるが、この場合、さらにミサイル防御も可能にしてものである。即ち、主横架材２４７…と天井つなぎ材２４８…で構成される天井面には、単層あるいは複数層のアラミド繊維などの強化繊維シートａ…が覆設されていてこれでミサイル爆片からの防護をするようになっている。耐震防護フレーム２４５の前後の面にも強化繊維シートａ…をカーテン状にしてあるいは固定面状にして設けることができる。強化繊維シートａの上あるいは下層として押出発泡ポリエチレン成形版Ｐを組み合わせることもできる。
【００５５】  図３３は、一般住宅の床下に避難凹所２５２を形成しその四隅から４本の支柱２５３…を立設してその上端にテーブル２５４をまた床面に相当して開閉床板２５５を装備した耐震避難テーブルであるが、そのテーブルについてもミサイル爆片からの防御可能とした構造にすることができる。図３３の右欄はテーブル２５４あるいは開閉床板２５５の内部を単層あるいは複数層の強化繊維シートａ…を底面あるいは内芯として含む板材としたものである。
【００５６】  図３４は、門型フレームとして事務机などの机２５８を取り囲み前後移動も可能で椅子２５９上の人を効果的に護ることができるようにした耐震フレーム２６０についてもミサイル爆片から防護できるようにしたもので、耐震フレーム２６０の天フレーム上には、右欄のように、芯材を押出発泡ポリエチレン成形版Ｐとしその外周をアラミドなどの強化繊維シートａで覆い包んだ天防護材２６１を止着具２６２…で固定したものである。この耐震フレーム２６０の左右枠部にも強化繊維シートａによる側面防護材２６３が押さえプレート２６４におる押さえ固定により設けられている。
【００５７】  図３５はアラミド繊維等の強化繊維シートａを止水シート２６７として防波堤（あるいは防潮堤）２６８上に対抗設置して津波対策を構成した例を示す。２６９は支柱で、防波堤２６８の長手方向に例えば、１０ｍ間隔をもって立設されており、この支柱２６９の周部にはスリット２７０が開設されてその内部に設けられた巻取り状止水シート２６８の先端バー２７２が突設されている。この止水シート２６７は津波や高潮などの非常時に先端バー２７２が引かれることにより支柱２６９内から引き出されて伸展され、隣り合う次の支柱２６９に係合されるようになっている。止水シート２６７の前面下部には下部舌片２７３が面ファスナーなどにより添設状態で展開自在に設けられており、この下部舌片２７３は押さえ板２７４を介して止着具２７５により防波堤２６８側に固定されるようになっている。
【００５８】  止水シート２６７には巻き戻し材２７６を設けて巻き戻しやすくなるようにしてもよい。また、図３５の右欄に示すように、止水シート２６７の下端には複数のローラー２７７を設けて防波堤２６８上に埋設したレール２７８に添って抜け止めされながら円滑かつ確実に開閉されるようにしてもよい。先端バー２７２には複数段の係合環２７９を突設しておいて次の支柱２６９に突設した係合フック２８０に係止されるようにしてもよい。止水シート２６７の前後いずれかあるいは双方の面に防水シートを積層配備してもよい。
【００５９】  図３７は矢印のようなデモ隊や暴走車２８３…などを緊急捕捉するような場合に使用される非常安全装置についてのものである。２８４は基部側パイプ、２８５は先方側パイプで、基部側パイプ２８４は補強支材２８６があるとともにその一側にはスリットが設けられており、パイプ２８４内に巻取られた捕捉シート２８７はリコイラーにより巻き取られている一方スリットを通じていつでも緊急に先方側パイプ２８５の方向に引き出し得るようになっている。捕捉シート２８７はアラミド繊維などによる強化繊維シートを単一枚あるいは複数枚使用して構成されており、その先端に設けた係合パイプ２８８が先方側パイプ２８５内に通隙２８９を伝って差込み可能になっている。
緊急の場合、捕捉シート２８７を張設しておけば、図のようにデモ隊や暴走車２８３…を捕捉し得る。
尚、前記強化繊維シートは道路側方に一般に設けられるガードレール（図示書略）に添って設けられることもある。
【００６０】  図３８は、基部側パイプ２９１と先方側パイプ２９２が共に平時は低く納まった形とされるが緊急時には持ち上げ調節可能でロック軸２９３により高さロックも可能とされ、張設された強化繊維シート製捕捉シート２９４はその背面を昇降型背受パイプ２９５で受け留め得るようになっている。２９６は止着具である。
【００６１】  図３９はビル３００の前方下部に複数本の支柱３０１…を立設しておいてその上面に強化繊維シート製落下緩衝防護シート３０２を張設しておいて落下してきた人を救い得るようにしたものである。
【００６２】  図４０は駅のホームなど大勢の人々が行き交い集まったりするところに設置されるごみ箱３０５…がテロなどにより爆破危険があることに対処してなされたものであり、ゴミ箱３０５を強化繊維シートで全体が囲まれたものとし、さらにそれらゴミ箱３０５…をその背方および上方から囲うように４本の支柱３０６…を立設してそれらを背側および天面側において強化繊維シート製防護シート３０７で覆うようにする。側面防護シート３０８を追加してもよい。
【００６３】  図４１は大勢の人々が集まるイベントなどにおいて自爆テロが発生した際でもその爆破Ｘがその近辺の最小限範囲に留まるようにした例であり、複数のポール３１１…を１列に並べてそれらの間を強化繊維シートでなる爆破緩衝シート３１２で１面状につなぐとともに、それらを左右あるいは前後に複数列間隔を置いて立設配備してなるものである。その右欄の例は、爆破緩衝シート３１２の一部のものについてそれに直交する補助シート３１３を設けることによって爆破エネルギーが補助シート３１３によって一方向（列の長手方向）に自由でなく減衰した形で抑えられてエネルギーが上方へ抜け得るようにすることができる。
【符号の説明】
【００６４】  １，１０１…一方の側壁  ２，１０２…他方の側壁  ３，１０３…出入口  ６，１０６…外部床面  １８，１２６…止水シート。
【図１】
2019105147.tif 000003
【図２】
2019105147.tif 000004
【図３】
2019105147.tif 000005
【図４】
2019105147.tif 000006
【図５】
2019105147.tif 000007
【図６】
2019105147.tif 000008
【図７】
2019105147.tif 000009
【図８】
2019105147.tif 000010
【図９】
2019105147.tif 000011
【図１０】
2019105147.tif 000012
【図１１】
2019105147.tif 000013
【図１２】
2019105147.tif 000014
【図１３】
2019105147.tif 000015
【図１４】
2019105147.tif 000016
【図１５】
2019105147.tif 000017
【図１６】
2019105147.tif 000018
【図１７】
2019105147.tif 000019
【図１８】
2019105147.tif 000020
【図１９】
2019105147.tif 000021
【図２０】
2019105147.tif 000022
【図２１】
2019105147.tif 000023
【図２２】
2019105147.tif 000024
【図２３】
2019105147.tif 000025
【図２４】
2019105147.tif 000026
【図２５】
2019105147.tif 000027
【図２６】
2019105147.tif 000028
【図２７】
2019105147.tif 000029
【図２８】
2019105147.tif 000030
【図２９】
2019105147.tif 000031
【図３０】
2019105147.tif 000032
【図３１】
2019105147.tif 000033
【図３２】
2019105147.tif 000034
【図３３】
2019105147.tif 000035
【図３４】
2019105147.tif 000036
【図３５】
2019105147.tif 000037
【図３６】
2019105147.tif 000038
【図３７】
2019105147.tif 000039
【図３８】
2019105147.tif 000040
【図３９】
2019105147.tif 000041
【図４０】
2019105147.tif 000042
【図４１】
2019105147.tif 000043
【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
一方と他方の左右一対の側壁間に形成された出入口に開閉自在に設けられて閉時に止水をするように構成された止水装置であって、一方の側壁である基部には、床面から立ち上がり状をなす外ケースが該側壁に対して密着状をなしかつ外向きに突設され、この外ケース内には、縦軸状の巻取軸がケース上の巻取りレバーにより回転自在にかつ回転ロックも可能な状態で設けられるとともに、前記巻取軸の周りには、アラミド繊維や炭素繊維などの強化繊維を主たる層として止水可能に作製された止水シートが前記巻取りレバーで繰出し状態から巻取自在に装備され、この止水シートは、繰出し側の先端に縦長板状の端止め材を備えるとともに下端部には該シート側前面に位置する状態から展開して前記出入口の開口床面より外側の外部床面上に密着可能とされる下部舌片を備え、前記他方の側壁には、前記端止め材がシート繰出し後に止め付けられる端受材が縦向きに設けられていることを特徴とする止水装置。
【手続補正２】
【補正対象書類名】明細書
【補正対象項目名】０００６
【補正方法】変更
【補正の内容】
【０００６】  本発明は上記目的を達成するため、請求項１に記載の発明は、一方と他方の左右一対の側壁間に形成された出入口に開閉自在に設けられて閉時に止水をするように構成された止水装置であって、一方の側壁である基部には、床面から立ち上がり状をなす外ケースが該側壁に対して密着状をなしかつ外向きに突設され、この外ケース内には、縦軸状の巻取軸がケース上の巻取りレバーにより回転自在にかつ回転ロックも可能な状態で設けられるとともに、前記巻取軸の周りには、アラミド繊維や炭素繊維などの強化繊維を主たる層として止水可能に作製された止水シートが前記巻取りレバーで繰出し状態から巻取自在に装備され、この止水シートは、繰出し側の先端に縦長板状の端止め材を備えるとともに下端部には該シート側前面に位置する状態から展開して前記出入口の開口床面より外側の外部床面上に密着可能とされる下部舌片を備え、前記他方の側壁には、前記端止め材がシート繰出し後に止め付けられる端受材が縦向きに設けられていることを特徴とする。
【手続補正３】
【補正対象書類名】明細書
【補正対象項目名】０００７
【補正方法】変更
【補正の内容】
【０００７】  上述したように本発明は、一方と他方の左右一対の側壁間に形成された出入口に開閉自在に設けられて閉時に止水をするように構成された止水装置であって、一方の側壁である基部には、床面から立ち上がり状をなす外ケースが該側壁に対して密着状をなしかつ外向きに突設され、この外ケース内には、縦軸状の巻取軸がケース上の巻取りレバーにより回転自在にかつ回転ロックも可能な状態で設けられるとともに、前記巻取軸の周りには、アラミド繊維や炭素繊維などの強化繊維を主たる層として止水可能に作製された止水シートが前記巻取りレバーで繰出し状態から巻取自在に装備され、この止水シートは、繰出し側の先端に縦長板状の端止め材を備えるとともに下端部には該シート側前面に位置する状態から展開して前記出入口の開口床面より外側の外部床面上に密着可能とされる下部舌片を備え、前記他方の側壁には、前記端止め材がシート繰出し後に止め付けられる端受材が縦向きに設けられていることを特徴とするので、洪水や津波などの緊急水害時に迅速かつ容易に止水態勢をとることができまたその後止水態勢から迅速かつ容易に回避態勢をとることができるようにした止水装置を提供することができる。